Podtech/llm-jp-corpus-v4-ja_patent huggingface dataset:
(57)【要約】【課題】本発明は、充電体に充電された電荷でＬＥＤ信号機・ＧＰＳ受信機を稼働することを目的としている。【解決手段】充電体の電荷を鉄板で電気信号に変換し、スイッチを介してＧＰＳ受信機・エレクトレット・定電圧ダイオードの出力でＬＥＤ信号機とマイコンを稼働する。またパソナルコンピュータを用いて管理する。【選択図】図１
2016085718.tif 000002
【特許請求の範囲】
【請求項１】
充電体（硫黄）に電荷を充電させておき、この充電体を鉄板で電機信号に変換した後、スイッチをオンし、抵抗を介してエレクトレット・ＧＰＳ信号受信機に供給する。鉄板のデューテー比を定電圧ダイオードに供給し、出力でＬＥＤ信号機を稼働する。また定電圧ダイオードの出力にマイコン・コンピュータ管理を印加するＧＰＳを用いたＬＥＤ信号機。
【発明の詳細な説明】
【技術分野】
【０００１】本発明は、ＧＰＳ信号を受信する。そのとき充電体に電荷を充電しておき、この充電体の電荷を鉄板で電気信号に変換して定電圧ダイオードに供給し、エコのＬＥＤ電球を使用した信号機をコンピュータで管理するＧＰＳを用いたＬＥＤ信号機に関するものである。
【背景技術】
【０００２】従来、充電体に静電気が発生すると導体物質を接続しないと除去することがてきないことが知られている。
【発明の概要】
【発明が解決しようとする課題】
【０００３】そのために次のような問題があった。
従来、信号機は電線に接続して点灯することがあたりまえであった。
本発明は、このような課題に鑑みてなされたものであって、電力電線を使用せずに、ＬＥＤ信号機を点灯することができる方法を提供することを目的としている。
本発明は、以上の問題点を解決しようとするものである。
【課題を解決するための手段】
【０００４】前記した課題を解決するために本発明は、ＧＰＳ信号を受信し、充電体（硫黄）に電荷を充電させておき、鉄板で電気信号に変換した後、定電圧ダイオードに供給し、出力を外部に取り出した電力にエコのＬＥＤ電球を使用した信号機にマイコン機器・コンピュータ機器を接続して信号機を稼働することとまた充電体（硫黄）の電荷を補償するエレクトレットの振動摩擦力で補償することを繰り返しおこなうものである。
【発明の効果】
【０００５】本発明によれば、外部の電力に接続せずに信号機を稼働することが出来るだけでなく、メンテナンスを容易にするコンピュータを用いて管理する。
【図面の簡単な説明】
【０００６】
【図１】本発明の一実施例を示した構成図である。
【０００７】
【発明を実施するための形態】
【０００８】以下、本発明の実施の形態について説明する。
図１は、本発明の一実施例を示した構成図である。
図１において、１はＧＰＳ信号であるＬＥＤ信号機の場所を査知するものである。２はＧＰＳ信号を受信するものである。Ｒ２は、電流を制限する抵抗である。３はエレクトレットである電気で振動するものであり、充電体（４）に補償電荷するものである。
Ｒ１は、電気を制限する抵抗である。４は充電体である該電荷を充電するものである。５は鉄板である該充電体（４）の電荷を起動力に変換するものである。ＳＷは、スイッチである該起電力をオンオフするものである。６は定電圧ダイオードの出力である。該ＬＥＤ信号機を点灯するものである。マイコン（マイクロコンピュータ）である。該ＬＥＤ信号機を制御するものである。７はＬＥＤ電球を用いた信号機である。８はマイコン（マイクロコンピュータ）である該ＬＥＤ信号機を制御するものである。９はコンピュータ管理である該ＬＥＤ信号機を管理するものである。
以上説明したように、本発明によれば外部の電力を使用することなくＬＥＤ信号機を稼働することを特徴とする。
【符号の説明】
【０００９】１    ＧＰＳ信号
２    受信機
Ｒ２  抵抗
３    エレクトレット
Ｒ１  抵抗
４    充電体
５    鉄板
ＳＷ  スイッチ
６    定電圧ダイオード出力
７    ＬＥＤ信号機
８    マイコン（マイクロコンピュータ）
９    コンピュータ管理
【図１】
2016085718.tif 000003
(57)【要約】【課題】内径が小さく長い油路を形成した場合でもシール性が高く、油洩れの恐れがない油路を有する自動車部品の製造方法及びそれにより得られる自動車部品の提供を目的とする。【解決手段】金型内に内部欠陥のない中実のアルミニウム又はアルミニウム合金からなるインサート部材を配置するステップと、アルミニウム合金の溶湯を高圧及び高速にて金型内に射出鋳造するステップと、前記鋳ぐるまれたインサート部材に機械加工にて油路を形成するステップを有することを特徴とする。【選択図】  図１
2016087620.tif 000002
【特許請求の範囲】
【請求項１】
金型内に内部欠陥のない中実のアルミニウム又はアルミニウム合金からなるインサート部材を配置するステップと、
アルミニウム合金の溶湯を高圧及び高速にて金型内に射出鋳造するステップと、
前記鋳ぐるまれたインサート部材に機械加工にて油路を形成するステップを有することを特徴とする油路を有する自動車部品を製造方法。
【請求項２】
前記自動車部品はミッションケース類であることを特徴とする請求項１記載の油路を有する自動車部品の製造方法。
【請求項３】
請求項１記載の製造方法により製造されたことを特徴とするミッションケース類。
【発明の詳細な説明】
【技術分野】
【０００１】
本発明は油路を有する自動車部品の製造方法に関し、特にアルミダイカスト鋳造により製造する方法に係る。
【背景技術】
【０００２】
自動車の駆動系の部品には、トルクコンバーター類，クラッチ類，ギア類等の駆動伝達部品，変速部品等を組み込むのに各種ケース類が使用されている。
例えばトランスミッションケース，トランスファーケース，トランスアクスルケース等が例として挙げられる。
これらのケース類は軽量化等の目的でアルミニウム合金のダイカスト鋳造により製造されている。
近年例えば、６速オートマチックトランスミッション，８速オートマチックトランスミッション等、部品点数が増加する中でケース類の軽量，小型化が要求され、このケース体に油路形成するためのスペースが狭く、設計上の制限を受けることが多くなっている。
一般的なアルミダイカスト鋳造では油路壁の肉厚が１５ｍｍ以上確保していないと油路の機械加工により鋳巣等による油洩れが発生する恐れがあり、鋳肌のままの油路を形成することが考えられる。
しかし、油路が長くなると鋳抜き時の抜け勾配量が大きくなるために油路径が大きくなる部分が発生する。
従って、油路径を全長にわたって小さくする場合には鋳抜き工法を採用することが困難となる。
油路を機械加工後にパイプ材を圧入することも考えられるがシール性が問題となる。
【０００３】
特許文献１には中空部材を鋳ぐるむ方法を開示するが、アルミダイカスト法により鋳ぐるむとアルミニウム合金の溶湯が高圧状態で金型内に射出されるので中空部材が変形してしまう問題がある。
特許文献２には鉄系金属部材からなる中実のインサート部材をアルミ溶湯にて鋳ぐるみ、その後に機械加工により油路を形成する方法を開示する。
しかし、鉄系金属部材とアルミの組み合せでは熱膨張率に大きな差があり、自動車部品のように使用時の温度差がある製品の場合には鉄とアルミとの境界にキレツが生じやすくシール性を確保することができない問題もある。
【先行技術文献】
【特許文献】
【０００４】
【特許文献１】特開２００４−３４４９５５号公報
【特許文献２】特許第４７４２１２９号公報
【発明の概要】
【発明が解決しようとする課題】
【０００５】
本発明は内径が小さく長い油路を形成した場合でもシール性が高く、油洩れの恐れがない油路を有する自動車部品の製造方法及びそれにより得られる自動車部品の提供を目的とする。
【課題を解決するための手段】
【０００６】
本発明に係る自動車部品の製造方法は、  金型内に内部欠陥のない中実のアルミニウム又はアルミニウム合金からなるインサート部材を配置するステップと、アルミニウム合金の溶湯を高圧及び高速にて金型内に射出鋳造するステップと、前記鋳ぐるまれたインサート部材に機械加工にて油路を形成するステップを有することを特徴とする。
ここで内部欠陥のない中実のアルミニウム又はアルミニウム合金からなるインサート部材とは、機械加工により油路を形成した場合に油洩れとなるような内部欠陥がないアルミ部材であることをいう。
例えば、押出加工，引抜き加工等にて製作された展伸材や鍛造等により製作した内部欠陥がないか非常に少ない中実のアルミ部材が例として挙げられる。
細長い油路を形成する目的としては棒状の形状からなるインサート部材が好ましく、外径は限らずしも円形状である必要はなく、異形断面形状であってもよい。
また、全長にわたって外形形状が異なるものでもよい。
【０００７】
本発明の対象となる自動車部品は、潤滑油，作動油等のオイルを使用する部品であれば特に限定はない。
その中でも特に有効なのは、細長い油路が必要で高いシール性、薄肉化による軽量化が要求されるミッションケース類である。
ミッションケース類にはトランスミッションケース，トランスアクスルケース，トランスファーケース等が例として挙げられる。
【発明の効果】
【０００８】
本発明は内部欠陥のない中実のアルミ材からなるインサート部材をアルミニウム合金のダイカスト鋳造により鋳ぐるみ、その後にインサート部材に機械加工により油路を形成するので従来のような鋳巣による油洩れの恐れがなく、アルミ材をアルミ材で鋳ぐるむので界面の密着性に優れ、熱膨張差が非常に小さいので使用時の温度差によるキレツの発生の恐れも非常に少ない。
機械加工が可能な範囲で油路の形状の自由度も高い。
これによりミッションケース類の薄肉軽量化が可能になり、コンパクトな設計も可能になる。
【図面の簡単な説明】
【０００９】
【図１】アルミインサート部材をアルミダイカスト法により鋳ぐるんだ状態を示す。
【図２】アルミインサート部材に沿って油路を機械加工により形成した例を示す。
【発明を実施するための形態】
【００１０】
本発明に係る製造方法例を以下図面に基づいて説明するが、本発明はこれに限定されない。
【００１１】
図示を省略したが、アルミダイカスト用金型内にアルミインサート部材１２を配置し、例えば、ＪＩＳ  ＡＤＣ１２等のアルミダイカスト用のアルミニウム合金の溶湯を金型内に高圧，高速にて射出することで、図１に示すようなケース本体１１にインサート部材１２を鋳ぐるんだ自動車部品（粗材）が得られる。
ここでインサート部材１２は、アルミニウム合金を用いた棒状の押出材の外周部に機械加工を施し、ケース本体１１の外形形状に合せたフランジ部１２ａと、内形形状に合せたフランジ部１２ｂを形成した例になっている。
次に図２に示すように、インサート部材１２に沿って機械加工により油路１３を形成する。
機械加工が可能な範囲で、油路に段差形状や曲がり形状部分を設けることも可能である。
【符号の説明】
【００１２】
１０      自動車部品
１１      ケース本体
１２      アルミインサート部材
１３      油路
【図１】
2016087620.tif 000003
【図２】
2016087620.tif 000004
(57)【要約】【課題】考案を試作するまでに要する各工程を覚えることができるようにすること。【解決手段】サイコロの目に応じて、考案製作工程を覚える。【選択図】  図３
2016087037.tif 000002
【特許請求の範囲】
【請求項１】
考案を考えてから、試作品を作るまでの複数の工程ごとに、サイコロを振って出た目の数だけ前進する場合において、工程の結果ごとに考案の行先を求めて、最終的に上がりとなるように構成された発明スゴロク。
【発明の詳細な説明】
【技術分野】
【０００１】
本考案は発明スゴロクに関する。
【背景技術】
【０００２】
従来のスゴロクとしては、例えばシート状本体と、このシート状本体にあらわされた、スタート区画（振り出し区画）、ゴール区画（上がり区画）及びスタート区画とゴール区画とを繋ぐ複数の中間区画とを有するものが知られている。
【発明の概要】
【発明が解決しようとする課題】
【０００３】
従来公知のスゴロクは単なる遊戯具であり、知識の習得に役立つものではなかった。
【課題を解決するための手段】
【０００４】
本考案はこのような課題に鑑みてなされたものであって、本スゴロクをやることにより、考案又は発明をする手順を実践することができるようになる発明スゴロクを提供することができる。
【発明の効果】
【０００５】
実際の発明又は考案の手順を覚えることができるようになる。
【図面の簡単な説明】
【０００６】
【図１】本考案の実施例を示す図
【図２】本考案の実施例を示す図
【図３】本考案の実施例を示す図
【発明を実施するための形態】
【０００７】
図１〜図３は本考案の説明図である。図１は発明スゴロクの基礎編１００、図２，図３は本発明スゴロクの実践編２００，３００である。先ず、図１の基礎編について説明する。この基礎編では、精神（Ａ１）、飲み物（Ａ２）、環境（Ａ３）、食べ物（Ａ４）及び運動（Ａ５）からなっている。（Ａ５）に続く知識（Ａ６）である。Ａ６を出たら経験（Ａ７）に入る。
【０００８】
（Ａ７）が終了したら実践編に入る。実践編ではサイコロはＡ１の（１）から入り、サイコロは１個振り、出た目の数だけ進むようになっている。実践編を実行するには、各人が５０万円のゲーム金を用意しておく必要がある。この用意されたゲーム金は以降のスゴロクの各サイクルの中で使用されたり、入ってきたりする。また、★印に止まったら１０万円が加算され、★★印に止まったら持ち金を２倍にする。そして、サイコロの目の数に従って進む。なお（休）に止まったら１休んでからから次のコマに進む。このようにして図２のルートを進むことにより、図のマップ上を進んでいく。
【０００９】
先ず、ステップＳ１ではピカが出たかどうかチェックする。Ｓ２では、明細書を書いたかどうかチェックし、その結果に応じて行先を変更する。次にＳ３で描いたどうかチェックし、その取扱いに応じて行先を変更する。次にどこに行ったらよいか判断する（Ｓ４）。次に、何の得るところもなかったので、国際発明協会の会員になる（Ｓ５）。
【００１０】
次にドクター中松パテント事務所に相談する（Ｓ６）。次に、考案の日付を記録しておく（Ｓ７）。次に、Ｓ８で秘密保持契約を交わす。Ｓ９ではドクター中松ファミリー会報を見る。次に、試作品を作るので、材料をそろえる（Ｓ１０）。次に試作品を作り検討する（１１）。次に、先行技術調査をする（Ｓ１２）。調査が終わったら調査結果を検討する（Ｓ１３）。
【００１１】
次に、同種の発明又は考案があった場合、権利者にライセンス料金を支払うか、権利の買い取りを検討する（Ｓ１４）。次に、特許性ありの検討をする（Ｓ１５）。調査したところ、特許権は消滅していた（Ｓ１６）。そこで新たな特許申請をする（Ｓ１７）。特許庁では新たな出願の審査を行う（Ｓ１８）。次に、考案が登録されたら、ライセンスの検討を行う（Ｓ１９）。次にメーカーの反応を見て（Ｓ２０）、その権利をメーカー
に売る（Ｓ２１）。
【００１２】
次に、図２のＳ２２から説明する。Ｓ２２では、考案の実用性を検討する。次に、実用性を検討する（Ｓ２３）。検討した結果、試作する価値ありと判断。次に、更に実用性を検討した結果、成功であった（Ｓ２４）。次に、どの道をとるか検討する（Ｓ２５）。次に、製造可能かどうか検討する（Ｓ２６）。
【００１３】
次に、更に製造可能であるかどうかチェックする（Ｓ２７）。次に、製造は可能であるか更に検討して量産の可能−性も考える（Ｓ２８）。
【００１４】
Ｓ２９で、特許調査を行い、Ｓ３０に示すように既に先行技術があったものとすると、特許権者からライセンスを受けるか、特許権そのものを買い取る。特許権が消滅していたら（Ｓ３２）、どの道をとるか判断する（Ｓ３３）。に市場調査をしてみたら反応が悪いので、ステップＳ１に戻る（Ｓ３４）。
【産業上の利用可能性】
【００１５】
本考案によれば、学習機能を備えた発明スゴロクを提供するこができ、実用上の効果もある。
【符号の説明】
【００１６】
１００  発明スゴロク基礎編
２００  発明スゴロク実践編
３００  発明スゴロク実践編
【図１】
2016087037.tif 000003
【図２】
2016087037.tif 000004
【図３】
2016087037.tif 000005
(57)【要約】      （修正有）【課題】箸の上部（手で握る部分、以下把持部）と、下部（食物を掴む部分、以下掴持部）で、弾性率が異なる素材で構成される、上下部の弾性率が異なる箸を提供する。【解決手段】把持部２は、手で握っても変形しない高弾性の素材で構成されるが、掴持部４は、食物の大きさ、重さに応じて変形する、把持部に比べて低弾性の素材で構成されることを特徴とする。【選択図】図２
2016087184.tif 000002
【特許請求の範囲】
【請求項１】
把持部（２）は、手で握っても変形しない高弾性の素材で構成されるが、掴持部（４）は、食物（５）の大きさ、重さに応じて変形する、把持部（２）に比べて低弾性の素材で構成されることを特徴とする上下部の弾性率が異なる箸。
【請求項２】
一対の箸（１）の内、少なくとも一本が請求項１に記載の特徴を持つ箸。
【発明の詳細な説明】
【技術分野】
【０００１】
この発明は、箸の上部（手で握る部分、以下把持部）と、下部（食物を掴む部分、以下掴持部）で、弾性率が異なる素材で構成される、上下部の弾性率が異なる箸に関するものである。
【背景技術】
【０００２】
従来、箸は手で握ったり、食物を掴んだりしても、変形しない高弾性の素材で構成され、使用者にとって使いやすいように工夫し作られている。
使いやすいが故に、人によっては食べる速度が速くなりがちになる。
【０００３】
特許文献１では、掴持部を小さくし、一度に運べる食物の量を少なくすることができる箸が提案されている。
【先行技術文献】
【特許文献】
【０００４】
【特許文献１】実用新案登録第３０６１９８９号公報
【発明の概要】
【発明が解決しようとする課題】
【０００５】
これは、つぎのような課題があった。
食べる速度が速くなることで満腹感を得る前に、必要以上に食べ過ぎてしまう。
近年の疫学調査でも早食いの習慣がある人には、肥満が多いことが厚生労働省から発表されている。
特許文献１で提案されている箸も、一度に運べる食物の量を少なくするだけでは、早食いの人を抑制するに十分とは言えない。
早食いの抑制には、一度に運べる食物の量を少なくすることに加えて、食物を切る、掴むという口に運ぶ前の一連の所作にも、より時間をかけさせる必要がある。
本発明は、以上のような課題を解決するためになされたものである。
【課題を解決するための手段】
【０００６】
把持部（２）は、手で握っても変形しない高弾性の素材で構成されるが、掴持部（４）は、食物（５）の大きさ、重さに応じて変形する、把持部（２）に比べて低弾性の素材で構成される。
本発明は、以上の構成よりなる上下部の弾性率が異なる箸である。
【発明の効果】
【０００７】
本発明を使用する際、使用者に特別な使い方を求めることはなく、従来通り箸としての使用をすれば良い点も本発明の利点である。
従来通り使用していても、変形する掴持部（４）には掴持する食物（５）の大きさ、重さに限界がある為、一度に口に運べる食物（５）の量を制限し、加えて食物（５）を切る、掴むという口に運ぶ前の一連の所作にも変形する掴持部（４）が時間をかけさせ、早食いを抑制することができる。
本発明の効果により、使用者は従来より少ない量の食事で満腹感が得られ、ダイエット効果や肥満の抑制につながる。
【図面の簡単な説明】
【０００８】
【図１】本発明の正面図である。
【図２】本発明における掴持部の変形を示す正面図である。
【図３】本発明における実施の一形態を示す説明図である。
【図４】本発明における実施の一形態を示す説明図である。
【発明を実施するための形態】
【０００９】
以下、本発明を実施するための形態について説明する。
一対の箸（１）で、手で握る把持部（２）は、一般的な箸と同様に手で握っても変形しない高弾性の素材、合成樹脂や木材、金属等で構成される。
食物を掴む掴持部（４）は、食物（５）の大きさや重さによって、切ったり掴んだりする際に曲がる、把持部（２）に比べて低弾性の素材、合成樹脂やゴム等で構成される。
本発明は、以上のような構造である。
【００１０】
本発明を使用するときは、把持部（２）と掴持部（４）を異なる色の素材で構成したり、境界線（３）を引いたりして、使用者が把持部（２）と掴持部（４）を容易に区別できるようにするとより使いやすい。
ただし外出時、お弁当などで使う際には、目立たないよう把持部（２）と掴持部（４）とも同色で構成し、境界線（３）も引かれていない本箸を使用したほうが周囲の目は気にならないかもしれない。
【００１１】
掴持部（４）が低弾性の素材で構成される為、掴持できる食物（５）の大きさ、重さに限界があり、それを超える食物（５）は口に運ぶことができない。
掴持部（４）の弾性率を調整することで、掴持できる食物（５）の大きさ、重さ、さらには箸での切りやすさ、掴みやすさが変わるので、食べる速度の調整が可能である。
使用者の早食いの程度をより抑制したい場合は、掴持部（４）の弾性率をより低くすれば良い。
【符号の説明】
【００１２】
１  箸本体
２  把持部
３  境界線
４  掴持部
５  食物
【図１】
2016087184.tif 000003
【図２】
2016087184.tif 000004
【図３】
2016087184.tif 000005
【図４】
2016087184.tif 000006
(57)【要約】【課題】丸バケツの口の部分を一部直線にして、その下方に平面部を設けた円弧部と直線部の口、そして平面部を特徴としたバケツを提供する。【解決手段】バケツの口の直線部分を使うことにより、平らな底との接地面が広くなり底に残った少量の水等を容易に汲むことができ大変便利で効果的である。【選択図】図１
2016087366.tif 000002
【特許請求の範囲】
【請求項１】
丸バケツの口の部分を一部直線にして、その下方に平面部を設けた円弧部と直線部の口、そして平面部を特徴としたバケツ
【発明の詳細な説明】
【技術分野】
【０００１】この発明は、丸バケツの口の部分を一部直線にして、その下方に平面部を設けた円弧部と直線部の口、そして平面部を特徴としたバケツに関するものである。
【背景技術】
【０００２】従来バケツは、丸型で口の部分は円形になっていた。しかし平らな底の少量の水等を汲むことには、丸バケツでは円形の一部、先端のみがぶつかり汲む量が少ないので非常に汲みずらく不便であった。
【先行技術文献】
【特許文献】
【０００３】
【特許文献】
【発明の概要】
【発明が解決しようとする課題】
【０００４】これは，次のような欠点があった。
従来丸いバケツは多くの量を汲むには問題ないが、水槽などの平らな底に残った少量の水等を汲むには、口の部分の接地面が少ないためなかなか手間がかかり不便であった。本発明は以上のような欠点をなくすためになされたものである。
【課題を解決するための手段】
【０００５】バケツの口の直線部分を使うことにより、平らな底との接地面が広くなり底に残った少量の水等を容易に汲むことができ大変便利で効果的である。なお、バケツ本体の製作は、プラスチック類、又はトタンなどを材料とする。
【発明の効果】
【０００６】一個のバケツで二様の使い方ができる。一般に水汲みなどに使うときは円弧部、直線部どちらでもよいが、底が平らな水槽などの底に残った水などを汲むときは、特に直線部を利用すれば大変便利で効果的である。又、水などに限らず、米や豆類の穀物、さらには砂、砂利などの手作業にも使うなど用途は広範囲に利用できる。二様とは、一つは円弧部を、もう一つは直線部を使うことで使用場所においてそれぞれ選べることである。
【図面の簡単な説明】
【０００７】
【図１】本発明の斜視図である。
【図２】本発明の側面図である。
【発明を実施するための形態】
【０００８】以下，本発明を実施するための形態について説明する。
バケツの口は一方は円弧部、反対側に直線部を設ける。直線部の下方に平面部を設け外はバケツ本体である。本発明は，以上のような形からなる。
本発明を使用するときは、直線部では底の平らな少量の水等を汲むときに特に便利で、又，底が不定形なときなどは即、反対側の円弧部を利用することもできるので大変便利で重宝である。
【符号の説明】
【０００９】１  本体    ２  円弧部    ３  直線部    ４  平面部    ５  トッテ
【図１】
2016087366.tif 000003
【図２】
2016087366.tif 000004
(57)【要約】【課題】歯ブラシで歯をみがき、コップの底を見ると、回りにネバネバ菌が付いているのに気が付きます。【解決手段】歯を洗い終った後に、尾に付いているナイロンスポンジに、歯ミガキを少し付け、回りをこするだけできれいに洗い落す事が出来る。【選択図】図３
2016087400.tif 000002
【特許請求の範囲】
【請求項１】
コップ掛けの取手
【請求項２】
スポンジ止め
【請求項３】
スポンジ
【発明の詳細な説明】
【技術分野】
【０００１】従来の歯ブラシは、歯をみがく為の毛ブラシ、又はナイロンブラシが先方に付いている所、技術の面で後方にコップ洗いを取り付けた事である。
【発明の概要】
【発明が解決しようとする課題】
【０００２】コップの底を見ると、回りにネバネバ菌が付いているため、洗い落すための解決である。
【課題を解決するための手段】
【０００３】歯を洗い終った後に、手にもつ歯ブラシの下に付いている、ナイロンスポンジに歯ミガキを少しつけ、回りをこするだけできれいに汚れを落す事が出来る。
【発明の効果】
【０００４】常にコップに掛けて置くため、下のスポンジの部分が洗面台に底が付かない様コップを洗った後高めの位置に掛ける事により清潔を保つ事が出来る。
【図面の簡単な説明】
【０００５】
【図１】正面図
【図２】側面図
【図３】全体図
【発明を実施するための形態】
【０００６】歯ブラシの中央部分に、コップを掛けるための取手を付け、尾の方にコップの中を洗うためのスポンジを取り付ける。
【産業上の利用可能性】
【０００７】老若男女、日常誰しも使用するための利用価植のある品物である。
【符号の説明】
【０００８】１、ナイロン毛
２、コップ掛けの取手
３、スポンジ止め
４、スポンジ
【図１】
2016087400.tif 000003
【図２】
2016087400.tif 000004
【図３】
2016087400.tif 000005
(57)【要約】【課題】眼帯を装着したとき耳に掛ける紐が健全な方の目の瞼を押さえたり、瞼に擦れて受ける不快感のない、使い捨てにできる衛生的、かつ、安価な眼帯を提供する。【解決手段】伸縮性のある不織布等のシート素材（１）に耳、耳と目用の２つの穴（３）（４）を開けたことを特徴とする眼帯【選択図】図１
2016087373.tif 000002
【特許請求の範囲】
【請求項１】
目に当てる当て布を押さえる眼帯部分と耳に掛ける紐が伸縮性のある不織布等のシート素材で作られた眼帯。
【発明の詳細な説明】
【技術分野】
【０００１】  この発明は、目に当てる当て布を押さえる眼帯部分とそれを耳に留める紐が伸縮性、通気性、柔軟性のある不織布等のシート素材で作られた顔面形状にフィットする眼帯である。
【背景技術】
【０００２】  従来、眼帯は目にあてる当て布を押さえるプラスチック板などでできた眼帯と、その眼帯の両端から出た紐で構成されており、紐の長さを調整し両耳に掛け、当て布をはさみ、当てたい目の上に眼帯を固定する。
【発明の開示】
【発明が解決しようとする課題】
【０００３】  これは、次のような欠点があった。
紐の長さを顔に合わせて調整し、眼帯を当てたい目の位置に合わせて装着するが、プラスチック板などでできた眼帯の両端の上下から出ている紐がもう一方の目で瞼を押さえて動きを妨げる、瞼に擦れて不快感を覚える。紐が緩み、紐が垂れたり、眼帯の位置がずれることがある。【０００４】  当て布は頻繁に交換できる。眼帯及び紐は続けて使用することが多いが洗浄しにくい。
本発明は以上のような欠点をなくすためになされたものである。
【課題を解決するための手段】
【０００５】  伸縮性、通気性、柔軟性のある不織布等の長方形のシート素材（１）の中央から一方の４分の１は眼帯（２）としてそのまま残し、続く４分の１に耳に掛けるための４角形の穴（３）を開ける。中央から反対側の半分の部分に眼帯を当てない目と耳に掛けるための４角形の穴（４）を開ける。穴（３）（４）の周囲の残った輪の部分を耳掛け紐（５）（６）とする。２つの４角形の穴（３）（４）及び長方形のシート素材（１）の４隅の角は面取りまたは丸みをつける。
本発明は以上のような形状の伸縮性のある不織布等のシート素材（１）で作られた顔面形状にフィットする眼帯である。
【発明の効果】
【０００６】  伸縮性、通気性、柔軟性のある不織布等のシート素材（１）で眼帯（２）及び耳掛け紐（５）（６）を作っているため次の効果が得られる。
眼帯（２）耳掛け紐（５）（６）ともに伸縮性があり、その張力で顔面の形状にフィットするとともに緩みにくい。シート状素材で出来ているので、耳掛け紐が幅広で平たく、面で皮膚に当るためずれにくい。眼帯（２）と目との間に挟む当て布（７）の形状に沿い、よく保持するとともに目に圧迫感を与えない。通気性があるので長時間あてても蒸れない。【０００７】  シート素材（１）の縦方向の幅を広くすることで上側の耳掛け紐（６）が眉の上方を通るため、眼帯を当てていない方の目の瞼を押さえたり、瞼が擦れることによる不快感を与えない。【０００８】  繊維の絡まりあった不織布または相当のシート状の素材を使用することで、耳に掛けるための穴の周囲の解れを防止でき、解れた糸が触れる不快感がない。通気性、伸縮性、柔軟性があるので長時間装着しても不快感を与えない。【０００９】  長方形のシート素材（１）に２つの穴を開けるだけの簡単な形体のものなので、安価にでき、使い捨てが可能で衛生的である。
【発明を実施するための最良の形態】
【００１０】  以下、本発明を実施するための最良の形態について説明する。
伸縮性、通気性、柔軟性のある不織布または相当の４隅の角を面取りした長方形のシート素材（１）の長手方向中央から一方へ４分の１はそのまま残し、続く４分の１の部分の周囲を耳掛け紐（５）として８ｍｍ程度の幅で残して四角の耳用穴（３）を切り取る。耳用穴（３）の４隅の角は円く仕上げる。反対側の半分の部分にも周囲を耳掛け紐（６）として８ｍｍ程度の幅で残して四角の目と耳用穴（４）を切り取る。同穴も４隅の角は円く仕上げる。シート素材（１）の横方向の長さは伸縮性を考慮し顔の大きさにあわせ数種準備する。
本発明は以上のような形態である。【００１１】  これを使用するときは当て布（７）を眼帯（２）部分に置き、眼帯を当てる目に軽く押し当てながら、耳掛け紐（５）（６）を順次両側の耳に掛ける。次に眼帯（２）部分の上端及び眼帯を当てない方の目の上方を通る耳掛け紐（６）を眉より上に持ち上げセットする。【００１２】  眼帯を当てる目がもう一方の目である場合、シート素材（１）の中心点の周りに１８０度回転させれば眼帯（２）部分がもう一方の目のところに来るので、上記と同じように取り付ける。
【図面の簡単な説明】
【００１３】
【図１】本発明の展開図である。
【図２】本発明の装着状態を右前方から見た図である。
【図３】本発明の装着状態を左前方から見た図である。
【符合の説明】
【００１４】    １  シート素材
２  眼帯
３  耳用穴
４  目と耳用穴
５  耳掛け紐
６  耳掛け紐
７  当て布
【図１】
2016087373.tif 000003
【図２】
2016087373.tif 000004
【図３】
2016087373.tif 000005
(57)【要約】【課題】足と装着整合良好構造靴【解決手段】  足と靴との整合性と装着性をはかる靴の方式構造に関し、靴内部先端、足指部に草履や下駄に用いている鼻緒先端紐形状（以下、元緒と記す）を付し足の親指と足の人指し間で元緒をはさむ構造とする。なお、靴後部踵部、足袋のコハゼに当たる部分の片側、または両側を縦割りして、その前後を重ね、その前後靴材間にゴム質の弾性体を配し、前後靴材に取り付け、靴を履用したさい、足を靴先方向に押して足指間に元緒を押し入れる。このさい、足の大きさに合わせ靴が伸縮して足と靴とが馴れ装着整合、嵌めあいを良好にする。本構造の靴は草履形状と足袋形状を組み合わせ一体化して鼻緒を付した構造の靴、いわゆる和服着用時の靴に適し、鼻緒と元緒により、草履と足袋を履用している場合と同様の感覚で履用できる靴の方式構造である。しかし、それのみではなく、従来の靴にも適応できる。【選択図】図１
2016087378.tif 000002
【特許請求の範囲】
【請求項１】
本発明は足と靴との整合性と装着性をはかる靴の方式構造に関する。その方式構造において、靴内部先端、足指部に草履や下駄に用いている鼻緒先端紐形状（以下、元緒と記す）を付し足の親指と足の人指し指間で元緒をはさむ構造とする。なお、靴後部踵部、足袋のコハゼに当たる部分の両側、または片側を縦割りして、その前後を重ね、その前後靴材間にゴム質の弾性体を配し、前後靴材に取り付け、靴を履用したさい、足を靴先方向に押して足指間に元緒を押し入れる。このさい、足の大きさに合わせ靴が伸縮して足と靴とが馴れ装着整合、嵌めあいを良好にする靴に関する。
【発明の詳細な説明】
【技術分野】  本発明は足と靴との整合性と装着性をはかる靴の方式構造に関する。その方式構造について、靴内部先端、足指部に草履や下駄に用いている鼻緒先端紐形状（以下、元緒と記す）を付し足の親指と足の人指し間で元緒をはさむ構造とする。なお、靴後部踵部、足袋のコハゼに当たる部分の片側、または両側を縦割りして、その前後を重ね、その前後靴材間にゴム質の弾性体を配し、前後靴材に取り付け、靴を履用したさい、足を靴先方向に押して足指間に元緒を押し入れる。このさい、足の大きさに合わせ靴が伸縮して足と靴とが馴れ装着整合、嵌めあいを良好にする。本構造の靴は草履形状と足袋形状を組み合わせ一体化して鼻緒を付した構造の靴、いわゆる和服着用時の靴に適し、鼻緒と元緒により、草履と足袋を履用している場合と同様の感覚で履用できる靴の方式構造である。しかし、それのみではなく、従来の靴にも適応できる。
【背景技術】  従来、足に靴を装着させ足の大きさに靴を整合させる方式として靴の前面上部に靴紐通し穴を設け靴紐を用いて足に靴を装着させる方式。また、靴の前面上部を前後割りにして折り畳む方式。および、靴の前面上部を前後割りして左右靴材間にゴム質の弾性体を配する方式。ならびに、靴踵部に帯紐を付して締め上げる方式等である。
【発明の概要】
【発明が解決しようとする課題】  本発明の靴は、従来、足に靴を装着させ、足の大きさに靴を整合させる方式構造を、より、良好となすことをはかる。
【課題を解決するための手段】  本発明の靴は靴内部先端、足指部に草履や下駄に用いている鼻緒先端阻形状（以下、元緒と記す）を付し足の親指と人指し指間で元緒をはさむ構造とする。このさい、元緒材料は皮革や繊維製で柔軟な材料を用いる。なお、靴後部踵部、足袋のコハゼに当たる部分の片側、または両側を縦割りして、その前後を重ね、その前後靴材間にゴム質の弾性体を配し、前後靴材に取り付け、靴を履用したさい、足を靴先方向に押して足指間に元緒を押し入れる。このさい、足の大きさに合わせ靴が伸縮して足と靴とが馴れ装着整合、嵌めあいを良好にする
【発明の効果】  本発明の靴方式構造は、現今使用している多くの靴に適用できるうえ、鼻緒の特質を生かした点をさらに活かし、日本文化の一つの象徴である草履と足袋履用と和服着用促進、拡大を計る。それについて、靴底部外観を草履形状に仕上げ、草履上部外観を足袋形状にして両者を組み合わせ一体化した靴に適応する。そのさい、草履と足袋履用感覚を持続することができる。その靴材料は、従来使用している皮革、合成皮革、ゴム、人造ゴム、樹脂、布を用い、撥水性を有し汚れを拭いやすくし、その点で従来の草履、足袋に靴機能を備えた履物、すなわち、靴にする。
【図面の簡単な説明】
【図１】足と装着整合良好構造靴のうち鼻緒を付した靴の実施例を示した図である。
【図２】図１および図４の９部の上面図である。
【図３】図１および図４の９部の上面図である。
【図４】足と装着整合良好構造靴の実施例を示した図である。
【発明を実施するための形態】
以下、本発明実施の形態を説明する。
【実施例】  図１は鼻緒全体を付した靴を示し、図４は通常靴を示す、図１と図２と図３と図４において、２はコハゼ部分、すなわち、靴踵部を縦割りした後部を示し、３は前部を示し、４はゴム質の弾性体を示す。靴履用のさい、４により２と３が引き寄せられ足に靴の装着整合を良好にし、足の大きさに靴を合わせる。５は鼻緒を示し、６は靴先の破断面である。８の靴内部に７の元緒を付し、靴履用のとき、この元緒を足指で挟み込み靴装着維持を良好にする。図２と図３は足を靴に差し入れる口９の上面視図である。４のゴム質弾性体を用いる構造２種類を示す。この他の構造も２と３部を引き寄せる機能はおなじになる。なお、本各図において、４を介する２と３の構成を９の両側にもうけているが片側でも機能できる。
【産業上の利用可能性】  靴履用時、足と靴との装着整合を良好にし、したがって、足元を良好に保つ、歩行を良好にする、特に和服の着用を促進、拡大させる。近年、日本各観光池に海外からの観光者が非常に増加している。その観光地に日本和服姿，殊に女性和服姿を添え、海外からの観光者の日本印象を深くする。そうするに当たり、本発明による草履足袋形状靴、言い換えれば和装靴を履用することにより和装着用者をより多く、したがって、外国からの観光客に限らず日本観光客をふくめて、観光客を引き付けることを期待できる。なお、神社、寺院における神職、僧侶の和服着用を促し、世界文化遺産に日本文化の一象徴を加えてより日本国の印象を顕著にすることができる。
【符号の説明】１    靴
２    靴踵部を縦割りした後部
３    靴踵部を縦割りした前部
４    靴踵部を縦割りした部分に用いるゴム質の弾性体
５    足袋形状部の鼻緒
６    靴先の破断面
７    元緒
８    靴先内部
９    足を靴に差し入れる口部
【図１】
2016087378.tif 000003
【図２】
2016087378.tif 000004
【図３】
2016087378.tif 000005
【図４】
2016087378.tif 000006
(57)【要約】【課題】日付認識が困難な認知症患者や高齢者などには、通常の薬カレンダーでは、どこのポケットの薬を服用すればいいのか判断が困難な場合が多い。又服用間違いや服用忘れにより混乱が生じ、服用状況の認識、把握、管理が難しい場合も少なくない。【解決手段】報知時刻を受信する機能を備えた報知制御部とカレンダー機能を備えた時計機能部と、特定エリア枠を照明等で明示する表示部からなる装置制御部を装備し、時計機能部が示す当日の曜日に相当したエリア枠で明示し、正確な服用箇所を一目瞭然で認識出来るデジタル表示と曜日・朝、昼、夕、寝る前別の一回分の薬を入れるポケットを有した薬カレンダーを一体化して使用する認知症患者及び高齢者など用の曜日点灯薬カレンダー。【選択図】図１
2016087374.tif 000002
【特許請求の範囲】
【請求項１】
報知時刻を受信する機能を備えた報知制御部とカレンダー機能を備えた時計機能部と、特定エリア枠を照明等で明示する表示部からなる装置制御部を装備し、時計機能部が示す当日の曜日に相当したエリア枠で明示し、正確な服用箇所を一目瞭然で認識出来るデジタル表示と曜日・朝、昼、夕、寝る前別の一回分の薬を入れるポケットを有した薬カレンダーを一体化して使用する認知症患者及び高齢者など用の曜日点灯薬カレンダー。
【発明の詳細な説明】
【技術分野】
【０００１】本発明は、薬服用当日の曜日が点灯表示され、服用日時が一目瞭然で認識出来る、日付認識が困難な高齢者など用の薬カレンダーに関するものである。
【背景技術】
【０００２】従来の薬カレンダーは曜日・服用時間帯（朝・昼・；夕・寝る前など）に分かれており服用薬が挿入できる袋など装着。１回分の薬が容易に服用しやすいものとなっている。
（特許文献１参照）
【先行技術文献】
【特許文献】
【０００３】
【特許文献１】  特開２００１−２５８９９９号公報
【発明の概要】
【発明が解決しようとする課題】
【０００４】しかしながら特許文献１では、認知症患者や高齢者など日付認識が困難な方の場合、当日の曜日がわからない為、正しい服用箇所がわからなかったり、間違えて服用したり、忘れたり、正しく服用する事が出来ない事がある。【０００５】又、このような場合更に、服用間違いや服用忘れの状態を忘れる事が多い為、服用忘れの薬を誤って服用したりするなど、服用状況の確認、把握、管理が極めて難しくなり混乱をきたす状態となる事もある。
本発明は、以上の問題点を解決するためになされたものである。
【課題を解決するための手段】
【０００６】この発明に係る薬カレンダー装置は、報知時刻を受信する機能を備えた報知制御部とカレンダー機能を備えた時計機能部と、特定エリア枠を照明等で明示する表示部からなる装置制御部からなり、時計機能部が示す当日の曜日枠を照明で明示する事で、服用する当日の部分が一目瞭然で判断でき、更には服用状況の確認、把握、管理が出来る。
【発明の効果】
【０００７】以上の本発明によって、日付認識が困難な認知症患者や高齢者などが、一目瞭然で当日の服用箇所を表示部で明示するので、正しく服用し易くなり服用間違いや服用忘れが解消出来るものである。【０００８】又、もし服用間違いや服用忘れをしても、その状態を正しく認識出来、服用状態の確認、把握、管理がし易くなり、混乱をさけ安定した服用をサポートするものである。
【図面の簡単な説明】
【０００９】
【図１】本発明の本体の正面図。
【図２】本発明の薬カレンダー装置の曜日枠の拡大表示例図。
【図３】本発明のカレンダー装置の電気回路図。
【図４】本発明のカレンダー装置の制御フローチャート。
【発明を実施するための形態】
【００１０】  以下、本発明の実施の形態を説明する。
（イ）本発明の実施例を、図１の薬カレンダー装置（１）と、図５の電気回路図に沿って説明する。
図１において、図５の電気回路には薬カレンダーの装置制御部（２）があり、電池設置部（５）に電池を装着する事により動作を開始する。当日の曜日行事部（３）は、図２の拡大図のごとく、各曜日に枠（６）で囲われ、ＬＥＤ等の発光素子（７）が枠（６）内に埋め込まれる構造となる。
（ロ）図４はカレンダー装置（１）を制御する為の電気回路図である。報知制御部（８）で、報知時刻を受信し、マイクロコンピューター（９）からの要求に応じ月日、時刻データーを送信する。
又、時計用ＩＣ（１０）は水晶振動子（１１）の共振周波数を基準クロックとして、月・日・時・分・秒のデーターをカウントして、カレンダー機能月時計機能として動作する時計用ＩＣ（１０）でありマイクロコンピューター（９）からの要求に応じ、月・日・曜日の時刻データーを送信する。
マイクロコンピューター（９）の出力側には表示部（１２）が接続されている。
（ハ）次に、図６のフローチャートを参照しながら動作について説明する。まず、マイクロコンピューター（９）は報知制御部（８）に報知時刻取得と通知を請求する。報知制御部（８）にて報知時刻が取得され、マイクロコンピューター（９）に取得時刻が通知されたら、マイクロコンピューター（９）には時計用ＩＣ（１０）に取得時刻を設定する。
次に、マイクロコンピューター（９）は時計用ＩＣ（１０）から時刻（年・月・日・曜日・時・分・秒）データーを読み出し、読み出した時刻データーより曜日表示位置の算出を行い、算出された当日の曜日の表示位置の枠（６）に埋め込まれたＬＥＤ等発光素子（７）の点灯を行う。
以降１分毎にマイクロコンピューター（９）は時計用ＩＣ（１０）から時刻データーを読み出し当日の曜日の表示位置の枠（６）に埋め込まれたＬＥＤ等発光素子（７）の点灯を行う。
尚、マイクロコンピューター（９）は時計用ＩＣ（１０）から時刻（年・月・日・曜日・時・分・秒）データーを読み出した際に、前回時刻データー読み出し時の時刻（年・月・日・曜日）と異なっていた場合、報知制御部（８）に報知時刻の再取得要求を行い、現在時刻の再設定を行うことで設置電池が尽きるまで自動で時刻を補正し、信頼性の高い薬カレンダー装置が得られる。
（ニ）各曜日ごとに、朝・昼・夕・寝る前の４つの薬を入れるポケットを装備する（４）。
本発明は以上のような構造である。
【００１１】本発明を使用するときには、本人又は介護者が一週間分の薬を必要に応じ、各曜日の朝・昼・夕・寝る前の各ポケットにそれぞれ服用する１回分の薬を投入する。
当日の曜日部分が点灯している為、服用する薬が一目瞭然となり、正しく服用しやすいものとなる。
【００１２】又前日までの残った薬は未服用となる為、服用状況の確認・把握・管理もし易くなる手段となる。
【符号の説明】１薬カレンダー装置、２装置制御部、３曜日表示部、４薬ポケット、５電池設置部、６枠、７発光素子、８報知制御部、９マイクロコンピューター、１０時計用ＩＣ、１１水晶振動子、１２表示部
【図１】
2016087374.tif 000003
【図２】
2016087374.tif 000004
【図３】
2016087374.tif 000005
【図４】
2016087374.tif 000006
(57)【要約】【課題】業務用フライヤー内の食用油を自然に緩やかな流れを作り出し循環させ、温度ムラを防止し、対流状態を作り出し攪拌することで、酸化防止と不純物の付着低減化による、より活性効果を長時間持続させる循環型食用油活性プレートを提供する。【解決手段】混合セラミック又はチタン等の金属プレートで油を活性化する素材を用いプレート本体１に循環誘導孔２を数箇所開け、本体の両端は波状形状部３とする。加温で得られる微弱な油の流れや揚げ物を出し入れする際に伝達する流れ等を利用し自然な攪拌状態を起こす。【選択図】図１
2016087388.tif 000002
【特許請求の範囲】
【請求項１】
業務用フライヤー内の食用油を連続的に循環させ油の活性化と対流効果で油汚れを防止する器具であり、本来外部の波状形状と本体に設けられた循環誘導孔の油の対流により攪拌したのと同様の効果を得て、フライヤー内の油の温度の均一化による揚げムラ防止と不純物による汚れ防止により油を長持ちさせる循環型食用油活性プレート。
【請求項２】
前記循環型食用油活性プレート触媒には遠赤外線効果にて燃料の炭素分子連結の結合を分散させる混合セラミック、特殊金属からなる触媒を使用し効率の良い酸化還元作用が、可逆反応として循環を繰り返し行われることにより改質効果が迅速に得られる循環型食用油活性プレート
【発明の詳細な説明】
【技術分野】
【０００１】本発明は、業務用に使用するフライヤーの食用油を活性化して長持ちさせ、フライヤー内でおきる温度ムラを低減するために、プレートに開けたトンネルにより油の流れを作り出す。フライヤー内の油を循環させて油の流れを自然に作り出し循環させ、所々におきる温度ムラによる、揚げ物の揚げムラを防止させる。
【背景技術】
【０００２】業務用フライヤーに使用する活性化のプレートは  従来は特許公開２０１１−８７５５７又は食用油の活性化のみの効果が得られる器具として開示されている。【０００３】しかし、上述のような従来の様々な食用油を活性する器具には、セラミック等の遠赤外線効果を得られやすいとして穴を一定にあけ接触面積をより多くするというものであり、フライヤー内の油を攪拌するものではない。【０００４】また従来技術の食用油活性器具は、長時間使用をすることにより揚げ物から出る不純物や酸化した油により汚れが付着しやすく、一定の時間を経過すると付着した汚れにより十分な効果が得られにくいという要因もあった。
【発明の概要】
【発明が解決しようとする課題】
【０００５】業務用フライヤー内の食用油を自然に緩やかな流れを作り出し循環させ、温度ムラを防止し、対流状態を作り出し攪拌することで、酸化防止と不純物の付着低減化による、より活性効果を長時間持続させる循環型食用油活性プレートを提供する。
【課題を解決するための手段】
【０００６】混合セラミック又はチタン等の金属プレートで油を活性化する素材を用いプレート本体１に循環誘導孔２を数箇所開け、本体の両端は波状形状部３とする。加温で得られる微弱な油の流れや揚げ物を出し入れする際に伝達する流れ等を利用し自然な攪拌状態を起こす。
【発明の効果】
【０００７】本発明の循環型食用油活性プレートでは、フライヤー内で加温された食用油が均一な温度で揚げ物をあげることが出来、温度ムラ防止による揚げ物の効率的な揚げ具合と、活性化による酸化防止効果、油自体の汚れを低減することにより長期使用が可能になり交換する回数の低減を図り、揚げるものからの不純物による活性プレート本体の効果をより長い時間持続させ、より使用時間を延長させることが出来る。
【図面の簡単な説明】
【０００８】
【図１】  本発明の本体のプレート全体を示す斜視図
【図２】  図１のプレートの側面を破断して示す平面図
【図３】  図１のプレートの逆側面を破断して示す平面図
【図４】  本発明の本体のプレート全体を示す透視図
【図５】  本発明の実施形態を示す平面図
【発明を実施するための形態】
【０００９】本発明に至った経緯には、提案されている従来技術で長期間使用時の効果を充分に発揮できない、又は効果が持続出来ないのは、揚げ物素材から出る不純物が食用油を酸化させて汚し、触媒物質に付着して皮膜化になり充分な触媒効果を得られないと考え試行錯誤した結果、活性化を効果的に持続するには、連続した循環を行い流動的な対流を行う事により、又、食用油自体が可逆反応により短時間での活性効果と、触媒物質への不純物が付着しにくくする効果があることがわかった。
【００１０】更にフライヤー内の対流をより効率的にするために、プレートの本体に二方向から循環誘導孔を開けてトンネル状態を作り、油の対流を高めることによって攪拌効果が得られ連続した循環による活性化の触媒効果が長期間発揮できる事が可能になり、本発明を考案した。
【００１１】また、構造上のフライヤー内部に設置するだけで対流がおきやすい形状と、フライヤー内設置にて自重の重みにおり位置が変わらないよう本体の厚みをつけることで位置ズレを防ぐ構造とし、現在使用のフライヤーに加工を必要とせずに設置出来るようにした。
【産業上の利用可能性】
【００１２】本発明の循環型食用油活性プレートをフライヤーの効果的な箇所に設置して実施すれば、活性化による油で均一且つ揚げムラにならずに揚げ物を揚げられ、油の汚れの低減化になりフライヤー内の油の交換回数を減らすことが出来るので、大幅に節約出来る。本体の耐用期間も長時間の連続使用が出来るようになり、従来技術の器具より大幅な経費の削減に繋げることが出来る。
【符号の説明】
【００１３】１  プレート本体
２  循環誘導孔
３  本体波状形状部
【図１】
2016087388.tif 000003
【図２】
2016087388.tif 000004
【図３】
2016087388.tif 000005
【図４】
2016087388.tif 000006
【図５】
2016087388.tif 000007
(57)【要約】      （修正有）【課題】不特定多数の人が座る便座を簡単な方法で清潔に保つ便座カバーを提供する。【解決手段】便座クの上面に、付箋紙のように一枚一枚使用後に剥がれるようにした抗菌便座紙アを幾重にも重ね、使用後に端から抗菌便座紙アを剥がす為の耳イを付けてあるので剥して便器カに流す。【選択図】図１
2016087381.tif 000002
【特許請求の範囲】
【請求項１】
洋式トイレの便座に抗菌処理された抗菌紙を便座の形に合せ、何層にも重ねた抗菌便座紙である。
【請求項２】
何層にも重ねた抗菌便座紙一枚一枚。使用後抗菌便座紙の端から、付箋紙のように剥し水に溶けるので一緒に流す事が出来るようにしたものである。
【請求項３】
何十枚と重ねた便座抗菌紙は剥した後、水に溶ける抗菌紙である。
【請求項４】
便座表面にしっかりと張り付けるのは厚紙で便座の全面にしっかりと張り付けるようにしたものである。また抗菌便座紙は各便器メーカーの便座に合せて作ったものである。
【請求項５】
抗菌便座紙は最後は厚紙を剥し交換しまた新しい抗菌便座紙と取り変えられるのである。
【発明の詳細な説明】
【技術分野】
【０００１】  日本が誇る便器だが、便座は不特定多数の人々が使用する為に清潔においては心配で不安である。そこで技術的には簡単な方法で抗菌紙を使う事で解決したのである。
【背景技術】
【０００２】  東京オリンピックがまじかに迫り、海外から色々な人々が来日する。不特定多数の人々が使用した便座に抗菌紙が敷かれる事で安心、安全である。
【発明の開示】
【発明が解決しようとする課題】
【０００３】  未だ便座の清潔には研究が遅れていた。そこで、便座に何層にも抗菌紙を重ねた便座紙で紙の周囲に薄く接着力の弱い糊を塗布してあり、使用後１枚剥すのである。水に溶ける便座抗菌紙である。
【課題を解決するための手段】
【０００４】  使用後抗菌便座紙の端から剥し、一枚一枚使用した人が流す事が出来るようにした幾重にも重ねた抗菌紙が付箋紙のように剥がれるので安全、安心出来る画期的な抗菌便座紙である。
【発明の効果】
【０００５】  不特定多数の人々が使用する便座は誰もが気持ち悪いものであり、人によっては我慢する人がいて、後で病気になる人もいると聞く。この抗菌便座紙は次の人の為にマナーとして日本中、世界中に定着出来るように日本の清潔と安全と日本製紙業の強さを誇れるのである。
【発明を実施するための最良の形態】
【０００６】  日本の製紙は世界トップクラスで海外で絶賛されている。また、日本が誇る水洗トイレの便器は驚愕の的である。そこに抗菌便座紙の登場である。また世界に日本の清潔好きが示されたのである。
【実施例】
【０００７】  抗菌便座紙を思い出さなかったのが不思議である。抗菌便座紙のおかげで気持ち良く使用する事が出来安心、安全である。
【産業上の利用可能性】
【０００８】  日本が誇る水洗トイレは外国で驚かれ絶賛されている。さらに便座に抗菌紙を敷く事で、安心安全な事で喜んでもらえる事だと信じる。産業上製紙業界に抗菌便座紙が製品として増える事で日本に、世界に貢献出来るのである。
【図面の簡単な説明】
【０００９】
【図１】図面の名称  図１  Ａ  便器、便座、抗菌便座紙の正面断面図  Ｂ  便器、便座、抗菌便座紙の側面断面図  Ｃ  便器、便座、抗菌便座紙の説明図  Ｄ  抗菌便座紙の図  （ア）抗菌便座紙  （イ）抗菌便座紙を剥す為の耳  （ウ）抗菌便座紙枚数の区切紙  （エ）便座に接着面の厚紙  （オ）水  （カ）便器  （キ）便器蓋  （ク）便座  （ケ）ウキ（フロート）
【図１】
2016087381.tif 000003